(57)【特許請求の範囲】
【請求項１】
給水源に連結した給水管を収容しかつ少なくとも先端に開口が設けられているとともに外周面に開口部が設けられた筒状のカバーと、
前記カバーの先端の開口を通して前記カバー内に収容される被収容部及び前記カバーの先端の開口を塞ぐ塞ぎ部を有しかつ前記カバーに取り付けられるキャップ部材と、
前記カバー内に収容されかつ前記給水管に連通した吐水口が設けられた吐水部材と、を備え、
前記キャップ部材の前記被収容部には、前記カバー内に収容された前記被収容部が前記カバーの内面に固定された状態で、前記開口部から挿入された状態の前記吐水部材を固定する固定部を設けたことを特徴とする、
吐水装置。
【請求項２】
給水源に連結した給水管を収容しかつ少なくとも先端に開口が設けられているとともに外周面に開口部が設けられた筒状のカバーと、
前記カバーの先端の開口を通して前記カバー内に収容される被収容部及び前記カバーの先端の開口を塞ぐ塞ぎ部を有しかつ前記カバーに取り付けられるキャップ部材と、
前記カバー内に収容されかつ前記給水管に連通した吐水口が設けられた吐水部材と、
前記キャップ部材の前記被収容部に設けられ、前記吐水部材を固定する固定部と、を備える吐水装置の製造方法であって、
前記被収容部を前記開口から挿入し、前記カバー内に収容する工程と、
前記被収容部を前記カバーの内面に固定する工程と、
前記吐水部材を前記開口部から挿入し、前記固定部に固定する工程と、
を含むことを特徴とする吐水装置の製造方法。
【発明の詳細な説明】
【技術分野】
【０００１】
本発明は、吐水口が設けられた吐水部材と吐水口に連通した給水管とを備えた吐水装置に関する。
【背景技術】
【０００２】
従来から、吐水装置として、吐水管の先端部に吐水部材を取り付けた吐水装置（例えば、特許文献１から特許文献３参照）が用いられている。これらの特許文献１から特許文献３に示された吐水装置は、吐水管に手動等によって操作される弁が設けられ、吐水部材に吐水管に連通して水を吐水可能な吐水口が設けられている。
【０００３】
吐水装置は、吐水部材が吐水管の先端部から露出するように取り付けている。特許文献１の吐水装置では、吐水部材の外側からこの吐水部材を貫通したねじを吐水管にねじ込むことにより、吐水部材を吐水管に固定している。特許文献２の吐水装置では、吐水口を通して吐水部材に設けられた取着部を貫通したねじを吐水管にねじ込むことにより、吐水部材を吐水管に固定している。特許文献３の吐水装置では、吐水管の先端部に吐水部材を嵌合させ、溶着又は接着等の手段により、吐水部材を吐水管に固定している。
【０００４】
前述した特許文献１〜特許文献３に示された吐水装置は、弁が手動等によって操作されて開かれると、吐水部材の吐水口から水を吐水する。
【先行技術文献】
【特許文献】
【０００５】
【特許文献１】特開平１１−３１５５６２号公報
【特許文献２】実公平０４−２１８８６号公報
【特許文献３】実公平０４−１４５３３号公報
【発明の概要】
【発明が解決しようとする課題】
【０００６】
ところで、特許文献１〜特許文献３に記載されている吐水装置は、吐水部材が吐水管の先端部から露出しているために、吐水部材の取付の前後で、吐水管の先端部の外形が変化して、美観を損ねている。しかしながら、美観を損なわないために、吐水部材を吐水管の内側に収容すると、吐水部材の吐水管などへの固定が困難となり、容易に組み立てることが困難となる虞があった。
【０００７】
本発明は、上記の事情に鑑みてなされたものであって、美観を損ねることを抑制して、容易に組み立てることができる吐水装置を提供することを目的とする。
【課題を解決するための手段】
【０００８】
上記目的を達成するために、本発明に係る吐水装置は、給水源に連結した給水管を収容しかつ少なくとも先端に開口が設けられているとともに外周面に開口部が設けられた筒状のカバーと、前記カバーの先端の開口を通して前記カバー内に収容される被収容部及び前記カバーの先端の開口を塞ぐ塞ぎ部を有しかつ前記カバーに取り付けられるキャップ部材と、前記カバー内に収容されかつ前記給水管に連通した吐水口が設けられた吐水部材と、を備え、前記キャップ部材の前記被収容部には、前記カバー内に収容された前記被収容部が前記カバーの内面に固定された状態で、前記開口部から挿入された状態の前記吐水部材を固定する固定部を設けたことを特徴とする。
【０００９】
また、上記目的を達成するために、本発明に係る吐水装置の製造方法は、給水源に連結した給水管を収容しかつ少なくとも先端に開口が設けられているとともに外周面に開口部が設けられた筒状のカバーと、前記カバーの先端の開口を通して前記カバー内に収容される被収容部及び前記カバーの先端の開口を塞ぐ塞ぎ部を有しかつ前記カバーに取り付けられるキャップ部材と、前記カバー内に収容されかつ前記給水管に連通した吐水口が設けられた吐水部材と、前記キャップ部材の前記被収容部に設けられ、前記吐水部材を固定する固定部と、を備える吐水装置の製造方法であって、前記被収容部を前記開口から挿入し、前記カバー内に収容する工程と、前記被収容部を前記カバーの内面に固定する工程と、前記吐水部材を前記開口部から挿入し、前記固定部に固定する工程と、を含むことを特徴とする。
【００１０】
また、前記吐水装置では、前記被収容部が前記カバーの内面に溶接により固定されることで、前記キャップ部材が前記カバーに取り付けられることが好ましい。この吐水装置では、キャップ部材の被収容部がカバーの内面に溶接により固定されているので、溶接されることで生じるビードがカバーの外側に露出しない。よって、美観を損ねることを抑制できる。さらに、キャップ部材が溶接によりカバーの内面に固定されているので、吐水部材をカバーに取り付ける際に、キャップ部材が位置ずれすることを防止でき、吐水部材を容易でかつ確実にカバーに取り付けることができる。よって、吐水装置は、確実に美観を損ねることを抑制でき、より容易に組み立てることができる。
【発明の効果】
【００１１】
本発明に係る吐水装置は、吐水部材等をカバーの外側に露出させることなく、カバーに取り付けることができるので、美観を損ねることを抑制でき、容易に組み立てることができる。
【図面の簡単な説明】
【００１２】
【図１】図１は、実施形態に係る吐水装置を示す斜視図である。
【図２】図２は、実施形態に係る吐水装置の先端部を下方からみた斜視図である。
【図３】図３は、図１中のＩＩＩ−ＩＩＩ線に沿う断面図である。
【図４】図４は、実施形態に係る吐水装置を分解して示す斜視図である。
【図５】図５は、実施形態に係る吐水装置の構成を示すブロック図である。
【図６】図６は、実施形態に係る吐水装置のカバーにキャップ部材を取り付けた状態を下方からみた斜視図である。
【図７】図７は、図６に示されたキャップ部材に吐水部材を取り付ける状態を下方からみた斜視図である。
【発明を実施するための形態】
【００１３】
以下に、本発明に係る吐水装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１４】
図１は、実施形態に係る吐水装置を示す斜視図、図２は、実施形態に係る吐水装置の先端部を下方からみた斜視図、図３は、図１中のＩＩＩ−ＩＩＩ線に沿う断面図、図４は、実施形態に係る吐水装置を分解して示す斜視図、図５は、実施形態に係る吐水装置の構成を示すブロック図、図６は、実施形態に係る吐水装置のカバーにキャップ部材を取り付けた状態を下方からみた斜視図、図７は、図６に示されたキャップ部材に吐水部材を取り付ける状態を下方からみた斜視図である。
【００１５】
図１、図２などに示す実施形態の吐水装置１は、典型的には、住宅に設置される住宅設備機器としての洗面台２のカウンタ３上に設けられる。なお、本発明でいう住宅設備機器とは、勿論、住宅内に設置されて、この住宅の給水にかかる各種の給水機器などの設備機器をいい、具体的には、トイレ、トイレ手洗、洗面化粧台、洗面台、浴室、キッチンなどをいう。洗面台２のカウンタ３に取り付けられたボウルの底部には、排水用の配管が接続している。
【００１６】
吐水装置１は、図１、図２及び図３などに示すように、吐水管４と、弁としての電磁弁１０（図５に示す）と、検知センサ１１と、制御部としての制御装置１２（図５に示す）とを備えている。
【００１７】
吐水管４は、図３及び図４などに示すように、カバー１３と、キャップ部材１４と、吐水部材１５とを備えている。カバー１３は、表面に鍍金などが施された金属で構成され、かつ先端１３ａと基端１３ｂとの双方に開口１６ａ（図中には、先端１３ａに設けられた開口１６ａのみ示す）が設けられた筒状（本実施形態では、四角筒状）に形成されている。カバー１３は、基端１３ｂが洗面台２のカウンタ３に取り付けられ、かつ先端１３ａが洗面台２のボウルの底部と平行になるように、中央部が湾曲している。また、カバー１３のボウルの底部と相対する外周面１３ｃには、開口部１６ｂが設けられている。開口部１６ｂは、カバー１３の先端１３ａ寄りの箇所（先端部）に設けられ、かつ外周面１３ｃを貫通しているとともに、平面形状が矩形状に形成されている。開口部１６ｂは、カバー１３の先端１３ａに設けられた開口１６ａと間隔をあけて設けられている。本実施形態では、開口部１６ｂと先端１３ａに設けられた開口１６ａとの間には、カバー１３を構成する壁の一部であるリブ１３ｄが設けられている。
【００１８】
キャップ部材１４は、金属で構成され、かつ塞ぎ部１７と被収容部１８とを一体に備えている。塞ぎ部１７は、開口１６ａの大きさと略等しい平板状に形成されている。塞ぎ部１７は、カバー１３の先端１３ａに密に接して、この先端１３ａ側の開口１６ａを塞ぐ。被収容部１８は、塞ぎ部１７がカバー１３の先端１３ａの開口１６ａを塞ぐと、カバー１３内に収容される。被収容部１８は、塞ぎ部１７の開口部１６ｂから離れた側の外縁からカバー１３の奥に向かって立設して、カバー１３の開口部１６ｂと相対する内面１３ｅ（図４に示す）に重ねられる。被収容部１８は、カバー１３の内面１３ｅにアーク溶接などの周知の溶接により固定されている（取り付けられている）。このため、被収容部１８とカバー１３の内面１３ｅとに亘って溶接により形成されるビード１９は、図６に示すように、カバー１３の内側に設けられる。こうして、被収容部１８がカバー１３の内面１３ｅに溶接により固定されることで、キャップ部材１４がカバー１３に取り付けられている。
【００１９】
また、キャップ部材１４の被収容部１８には、カバー１３に固定されると、開口部１６ｂに相対するねじ孔２０が設けられている。本実施形態では、ねじ孔２０は、カバー１３の幅方向に互いに間隔をあけて二つ設けられている。ねじ孔２０は、固定部に相当する。
【００２０】
吐水部材１５は、合成樹脂で構成され、図３及び図４などに示すように、開口部１６ｂの大きさと略等しい厚手の平板状に形成された部材本体２１と、ホース取付部２２とを一体に備えている。部材本体２１即ち吐水部材１５は、開口部１６ｂのカバー１３の基端１３ｂ寄りの縁１６ｃに密に接して、開口部１６ｂを通して吐水口２３を露出させ、開口部１６ｂを塞ぐ格好で、ねじ２６によりカバー１３に取り付けられる。部材本体２１の中央部には、丸形の吐水口２３が設けられているとともに、吐水口２３よりもカバー１３の先端１３ａ側に検知センサ１１を取り付けるための矩形状のセンサ取付孔２４が設けられている。吐水口２３とセンサ取付孔２４とは、部材本体２１を貫通している。吐水口２３には、吐水する水を整流するフィルタ２８が設けられている。
【００２１】
また、部材本体２１には、ねじ通し孔２５が設けられており、開口部１６ｂのカバー１３の基端１３ｂ寄りの縁１６ｃに密に接して、開口部１６ｂを塞ぐ格好に位置付けられると、ねじ通し孔２５は、ねじ孔２０に連通するようになっている。本実施形態では、ねじ通し孔２５は、部材本体２１即ち吐水部材１５の幅方向に間隔をあけて二つ設けられている。部材本体２１即ち吐水部材１５は、開口部１６ｂを塞ぐ格好に位置付けられた部材本体２１のねじ通し孔２５内を通されたねじ２６がねじ孔２０にねじ込まれることで、キャップ部材１４を介してカバー１３に取り付けられる。こうして、ねじ孔２０は、ねじ通し孔２５を通されたねじ２６がねじ込まれることで、キャップ部材１４に部材本体２１即ち吐水部材１５を固定するのに寄与する。なお、開口部１６ｂのカバー１３の基端１３ｂ寄りの縁１６ｃは、部材本体２１が密に接することで、ねじ通し孔２５がねじ孔２０と連通する位置に、部材本体２１を位置決めする。また、部材本体２１は、前述したように、カバー１３に取り付けられると、前述した開口部１６ｂの基端１３ｂ寄りの縁１６ｃとリブ１３ｄとの間に挟まれる。
【００２２】
ホース取付部２２は、吐水口２３の周りからカバー１３の内側に立設した円筒状に形成されている。ホース取付部２２は、その中央部がカバー１３の基端１３ｂに向かって屈曲している。ホース取付部２２には、給水管としてのホース２７が連結している。このため、吐水口２３とホース２７とは、ホース取付部２２を介して、互いに連通している。ホース２７は、可撓性を有し、かつ給水源としての上水道５から水が供給される。ホース２７は、部材本体２１即ち吐水部材１５がカバー１３に取り付けられると、カバー１３内に収容される。
【００２３】
電磁弁１０は、図５に示すように、ホース２７と、上水道５に接続した給水管６との間に設けられている。電磁弁１０は、給水管６とホース２７とに亘る即ち上水道５からホース２７に亘る流路を開閉自在である。
【００２４】
検知センサ１１は、図２、図３及び図５に示すように、センサ取付孔２４を通して検知部１１ａが吐水管４の下方に露出する格好で、吐水部材１５の部材本体２１に取り付けられている。検知センサ１１は、周知の赤外線式、光電式などの検知センサを用いることができ、検知部１１ａの所定の検知エリア内に手などの人体の一部や各種の食器などの被検知物が侵入すると、この被検知物を検知する非接触式のセンサである。検知センサ１１は、吐水管４に近づいた手などの被検知物が検知エリアに位置付けられることを検知する。検知センサ１１は、検知した結果を制御装置１２に向かって出力する。なお、検知センサ１１と制御装置１２とを接続する図示しないハーネスは、カバー１３内に収容される。
【００２５】
制御装置１２は、図示しないＲＡＭ、ＲＯＭ、ＣＰＵ、入出力ポートなどを備えた演算装置である。制御装置１２の入力ポートには、少なくとも検知センサ１１が接続している。制御装置１２の出力ポートには、少なくとも電磁弁１０が接続している。制御装置１２は、検知センサ１１の検知情報に基づいて、吐水装置１全体の制御をつかさどる。
【００２６】
制御装置１２は、被検知物が近付いたことを検知センサ１１が検知すると、電磁弁１０を開き、検知センサ１１が被検知物を検知しなくなると、電磁弁１０を閉じる。
【００２７】
前述した構成の吐水装置１の吐水管４は、以下のように、組み立てられる。まず、吐水部材１５に検知センサ１１及びホース２７を予め取り付けておく。まず、キャップ部材１４の被収容部１８をカバー１３の長手方向に沿って先端１３ａ側の開口１６ａに近づけて、この開口１６ａ内に挿入する。そして、塞ぎ部１７をカバー１３の先端１３ａに密に接触させ、被収容部１８をカバー１３の内面１３ｅに重ねる。そして、図６に示すように、アーク溶接などの周知の溶接により、被収容部１８をカバー１３の内面１３ｅに溶接して固定する（取り付ける）。
【００２８】
その後、ホース２７及びハーネスを開口部１６ｂを通してカバー１３内に挿入し、基端１３ｂ側の開口１６ａから取り出した後、部材本体２１をカバー１３の長手方向と平行にして、カバー１３の長手方向に対して交差する方向に沿って、吐水部材１５を開口部１６ｂに近づけて、部材本体２１を開口部１６ｂ内に挿入する。そして、図７に示すように、部材本体２１を開口部１６ｂの基端１３ｂ側の縁１６ｃに密に接触させて、吐水部材１５をカバー１３に位置決めする。すると、吐水部材１５に設けられたねじ通し孔２５とキャップ部材１４のねじ孔２０とが互いに連通する。ねじ通し孔２５を通したねじ２６をねじ孔２０にねじ込んで、部材本体２１即ち吐水部材１５をキャップ部材１４に固定し、キャップ部材１４を介してカバー１３に固定する。こうして、本実施形態の吐水管４が組み立てられる。このように組み立てられた吐水管４のカバー１３の基端１３ｂがカウンタ３に取り付けられるなどして、吐水装置１は組み立てられる。
【００２９】
前述した構成の吐水装置１は、検知センサ１１が被検知物を検知すると、制御装置１２が電磁弁１０を開き、吐水口２３から水を吐水させる。また、吐水装置１は、検知センサ１１が被検知物を検知しなくなると、制御装置１２が電磁弁１０を閉じ、吐水口２３からの水を止水する。
【００３０】
上記のように構成された吐水装置１では、筒状のカバー１３内に吐水口２３が設けられた吐水部材１５と、カバー１３の先端１３ａの開口１６ａを塞ぐキャップ部材１４の被収容部１８を収容するので、カバー１３の外側に吐水部材１５やキャップ部材１４の殆どが露出しなくなる。このために、吐水部材１５などを取り付けてもカバー１３の外観などが変化することを防止できる。このために、吐水装置１の美観を損ねることを抑制できる。
【００３１】
また、吐水装置１は、カバー１３の先端１３ａの開口１６ａを塞ぐキャップ部材１４のカバー１３内に収容される被収容部１８に吐水部材１５を固定するのに寄与する固定部としてのねじ孔２０が設けられているので、カバー１３に取り付けられたキャップ部材１４のねじ孔２０に吐水部材１５を固定することにより、容易に吐水部材１５をカバー１３に取り付けることができる。したがって、吐水装置１は、美観を損ねることを抑制でき、容易に組み立てることができる。
【００３２】
吐水装置１では、キャップ部材１４の被収容部１８がカバー１３の内面１３ｅに溶接により固定されているので、溶接されることで生じるビード１９がカバー１３の内側に形成されて、カバー１３の外側に露出しない。よって、美観を損ねることを抑制できる。さらに、キャップ部材１４が溶接によりカバー１３の内面１３ｅに固定されているので、吐水部材１５をカバー１３に取り付ける際に、キャップ部材１４が位置ずれすることを防止でき、吐水部材１５を容易でかつ確実にカバー１３に取り付けることができる。よって、吐水装置１は、確実に美観を損ねることを抑制でき、より容易に組み立てることができる。
【００３３】
前述した実施形態では、住宅設備機器としての洗面台２を示しているが、本発明では、洗面台２に限らず、種々の住宅設備機器に本発明の吐水装置１を用いて良い。
【００３４】
また、前述した実施形態では、検知センサ１１を吐水部材１５に取り付けたが、本発明では、吐水部材１５に吐水口２３が設けられていれば、検知センサ１１を吐水部材１５に取り付けなくても良い。この場合、吐水管４と別体に検知センサ１１を設けても良く、検知センサ１１を設けない場合には、電磁弁１０の替わりにホース２７内の流路を開閉する弁として、手動操作弁を設ける。また、前述した実施形態では、開口部１６ｂを通して吐水部材１５をカバー１３内に挿入しているが、本発明では、これに限定されることなく、例えば、カバー１３の基端１３ｂ側の開口１６ａを通して、このカバー１３内に吐水部材１５を収容するようにしても良い。この場合も、吐水部材１５は開口部１６ｂを塞ぐ格好でキャップ部材１４を介してカバー１３に取り付けられるのが望ましい。また、本発明では、開口部１６ｂを通して吐水口２３を露出させれば、吐水部材１５が開口部１６ｂを塞がなくても良い。
【００３５】
さらに、前述した実施形態では、開口部１６ｂを開口１６ａから間隔をあけて配置して、開口部１６ｂと開口１６ａとの間にリブ１３ｄを設けたが、本発明では、開口部１６ｂを開口１６ａと連通させて、リブ１３ｄを設けなくても良い。
【００３６】
また、本発明では、被収容部１８をカバー１３の内面１３ｅに溶接せずに、被収容部１８や塞ぎ部１７をカバー１３内に圧入すること即ち所謂しまり嵌めにより、キャップ部材１４をカバー１３に取り付けても良い。また、リブ１３ｄを設けた場合には、キャップ部材１４をカバー１３に固定しなくても、ねじ通し孔２５を通されたねじ２６がねじ孔２０にねじ込まれて、前述した縁１６ｃとリブ１３ｄとに挟まれた吐水部材１５にキャップ部材１４を固定することで、キャップ部材１４をカバー１３に取り付けても良い。
【００３７】
さらに、本発明では、ねじ孔２０とねじ２６以外の手段により、キャップ部材１４と吐水部材１５とを互いに固定しても良い。即ち、本発明では、固定部は、単独で吐水部材１５を固定しても良く、他の部材と共同して吐水部材１５を固定しても良い。本発明でいう、固定するのに寄与するとは、単独で吐水部材１５を固定することと、他の部材と共同して吐水部材１５を固定することを含んでいる。
【００３８】
なお、上述した本発明の実施形態に係る吐水装置１は、上述した実施形態に限定されず、特許請求の範囲に記載された範囲で種々の変更が可能である。
【符号の説明】
【００３９】
１  吐水装置
５  上水道（給水源）
１３  カバー
１３ａ  先端
１３ｃ  外周面
１３ｅ  内面
１４  キャップ部材
１５  吐水部材
１６ａ  開口
１６ｂ  開口部
１７  塞ぎ部
１８  被収容部
２０  ねじ孔（固定部）
２３  吐水口
２７  ホース（給水管）
【図１】
0005912029.tif 000002
【図２】
0005912029.tif 000003
【図３】
0005912029.tif 000004
【図４】
0005912029.tif 000005
【図５】
0005912029.tif 000006
【図６】
0005912029.tif 000007
【図７】
0005912029.tif 000008